(57)【要約】【課題】障子パネルの支持形態が、障子框の内周面の屋内側部分に障子中心側に突設された凸壁と、前記障子框の内周面の屋外側部分に嵌着された押縁との間にパネルを挟持する形態であるサッシにおいて縦押縁と横押縁の突き合わせ部の隙間の露見及び隙間からの雨水浸入を防止する。【解決手段】障子１の左右の縦框１１に嵌着される縦押縁２０の障子中心側端部に屋内側及び縦框同士が対向する側に開放されたＬ形の凹部を形成し、その両側のＬ形の凹部に上下の横框に嵌着される横押縁の長手方向両端部を嵌合した。【選択図】図２
2008082066.tif 000002
【特許請求の範囲】
【請求項１】
窓パネル又は障子パネルの支持形態が、窓枠又は障子框の内周面の屋内側部分に窓又は障子の中心方向に突設された凸壁と、前記窓枠又は障子框の内周面の屋外側部分に嵌着された押縁との間に前記窓パネル又は障子パネルを挟持する形態であるサッシにおいて、
前記窓枠又は障子框の左右の縦材に嵌着される縦押縁（又は横材に嵌着される横押縁）の窓又は障子の中心側端部に屋内側及び縦材同士（又は横材同士）が対向する側に開放されたＬ形の凹部を形成し、その両側のＬ形の凹部に上下の横材に嵌着される横押縁（又は縦材に嵌着される縦押縁）の長手方向両端部を嵌合したことを特徴とするサッシ。
【請求項２】
窓パネル又は障子パネルの支持形態が、窓枠又は障子框の内周面の屋内側部分に窓又は障子の中心方向に突設された凸壁と、前記窓枠又は障子框の内周面の屋外側部分に嵌着された押縁との間に前記窓パネル又は障子パネルを挟持する形態であるサッシにおいて、
前記押縁を縦押縁の長手方向両端部から横押縁の長手方向両端部に渡って屋外側に対して被覆するコーナー部品を設けて縦押縁、横押縁及びコーナー部品を見掛け上連続させたことを特徴とするサッシ。
【請求項３】
コーナー部品は、窓正面側から見た形状がＬ形のブロック状に形成され、両先端部が横材の長手方向及び縦材の長手方向とそれぞれ平行な方向に開口して、縦押縁と横押縁の長手方向端部をそれぞれ挿入可能な開口部を有し、そのコーナー部品を前記縦材と横材のコーナー接続部の内側に嵌着し、各コーナー部品の開口部にそれぞれ前記縦押縁と横押縁の長手方向両端部を挿入して縦押縁、横押縁及びコーナー部品を見掛け上連続させたことを特徴とする請求項２に記載のサッシ。
【発明の詳細な説明】
【技術分野】
【０００１】
本発明は、サッシ、特に窓パネル又は障子パネルの支持形態が、窓枠又は障子框の内周面の屋内側部分に窓又は障子の中心側に突設された凸壁と、前記窓枠又は障子框の内周面の屋外側部分に嵌着された押縁との間に窓パネル又は障子パネルを挟持する形態であるサッシに関する。
【背景技術】
【０００２】
障子パネルの支持形態として、障子框組立体の内周面の屋内側部分に障子中心側に突設された凸壁と、その障子框組立体の内周面の屋外側部分に嵌着された押縁との間に障子パネルを挟持する形態を採用したサッシが、特許文献１に開示された。
図１５は、そのサッシと同様の障子の正面図であり、図１６は、図１５の円Ｘ部分の拡大図、図１７は図１６のパネル４０を除去したＹ−Ｙ線断面図、図１８は図１６のパネル４０を除去したＺ−Ｚ線断面図である。
【０００３】
上記サッシの障子パネルの支持形態は、障子框組立体の屋内側色彩を統一化してサッシの屋内側外観の向上を図ることができる特長を有する。特に、框が金属製で、押縁が樹脂製である場合は、その特長が明確に現れる。
【特許文献１】特開平１０−１０２８５１号公報  図２，図３，図４
【発明の開示】
【発明が解決しようとする課題】
【０００４】
ところが、上記先行技術においては、図１５、１６に明示されているように、縦框１１Ｅに嵌着される縦押縁２０Ｅと、横框１２Ｅに嵌着される横押縁３０Ｅとは、横押縁３０Ｅの長手方向端面を縦押縁２０Ｅの長手方向端部の左右の縦押縁２０Ｅが対向する面に突き当てた状態で縦押縁２０Ｅと横押縁３０Ｅとを見掛け上連続されている。框及び／又は押縁が合成樹脂製である場合は、外気温の変化、とくに太陽熱又はその輻射熱による伸縮率が大きい。そのため、屋外気温がとくに低い時期には、横押縁３０Ｅと縦押縁２０Ｅの突き合わせ部に微小隙間Ｓが発生して、障子の外観が損なわれるに止まらず、その隙間から雨水が障子内部に浸入して、様々な悪さをすることがある。
【０００５】
本発明は、このような縦押縁と横押縁の突き合わせ部の隙間からの雨水浸入を防止することを課題としている。
【課題を解決するための手段】
【０００６】
第１の発明は、上記課題を解決するため、窓パネル又は障子パネルの支持形態が、窓枠又は障子框の内周面の屋内側部分に窓又は障子の中心側に突設された凸壁と、前記窓枠又は障子框の内周面の屋外側部分に嵌着された押縁との間に窓パネル又は障子パネルを挟持する形態であるサッシにおいて、前記窓枠又は障子框の左右の縦材に嵌着される縦押縁（又は横材に嵌着される横押縁）の窓又は障子の中心側端部に屋内側及び縦材同士（又は横材同士）が対向する側に開放されたＬ形の凹部を形成し、その両側のＬ形の凹部に上下の横材に嵌着される横押縁（又は縦材に嵌着される縦押縁）の長手方向両端部を嵌合したことを特徴としている。
上記構成により、横材に嵌着される横押縁（又は縦材に嵌着される縦押縁）の長手方向両端部は縦材に嵌着される縦押縁（又は横材に嵌着される横押縁）のＬ形の凹部に嵌合される。従って、横押縁（又は縦押縁）が短縮して縦材（又は横材）の突き当て面との間に隙間が生じても、その隙間は屋外側に露出されない。従って、その隙間から雨水が窓枠組立体又は障子框組立体内に浸入することが防止される。
【０００７】
第２の発明は、上記課題を解決するため、窓パネル又は障子パネルの支持形態が、窓枠又は障子框の内周面の屋内側部分に窓又は障子の中心方向に突設された凸壁と、前記窓枠又は障子框の内周面の屋外側部分に嵌着された押縁との間に窓パネル又は障子パネルを挟持する形態であるサッシにおいて、前記押縁を縦押縁の長手方向両端部から横押縁の長手方向両端部に渡って屋外側に対して被覆するコーナー部品を設けて縦押縁、横押縁及びコーナー部品を見掛け上連続させたことを特徴としている。
上記構成により、縦押縁と横押縁の長手方向端部はいずれもコーナー部品により被覆されるので、縦押縁と横押縁の伸縮量はそのコーナー部品により隠蔽される。従って、縦押縁と横押縁の伸縮による隙間は縦材と横材のコーナー接続部において室外側に露見されない。従ってまた、雨水も浸入することができない。
【０００８】
この第２の発明は、コーナー部品が窓正面側から見た形状がＬ形のブロック状に形成され、両先端部が横材の長手方向及び縦材の長手方向とそれぞれ平行な方向に開口して、縦押縁と横押縁の長手方向端部を挿入可能な開口部を有して、縦材と横材のコーナー接続部の内側に嵌着され、各コーナー部品の開口部にそれぞれ縦押縁と横押縁の長手方向両端部を挿入して縦押縁、横押縁及びコーナー部品を見掛け上連続させることが望ましい。
上記構成により、縦材と横材のコーナー接続部の内側はコーナー部品により被覆される。縦押縁と横押縁の長手方向両端部はそのコーナー部品のそれぞれの開口からコーナー部品の中に挿入されるので、縦押縁と横押縁の伸縮量はそのコーナー部品の中で吸収される。従って、縦押縁と横押縁の伸縮による隙間は縦材と横材のコーナー接続部において室外側に露見されない。従ってまた、雨水も浸入することができない。
【発明の効果】
【０００９】
請求項１の発明によれば、窓パネル又は障子パネルの支持形態が、窓枠又は障子框の内周面の屋内側部分に窓又は障子の中心側に突設された凸壁と、前記窓枠又は障子框の内周面の屋外側部分に嵌着された押縁との間に窓パネル又は障子パネルを挟持する形態であるサッシにおいて、前記窓枠又は障子框の左右の縦材に嵌着される縦押縁（又は横材に嵌着される横押縁）の窓又は障子の中心側端部に屋内側及び縦材同士（又は横材同士）が対向する側に開放されたＬ形の凹部を形成し、その両側のＬ形の凹部に上下の横材に嵌着される横押縁（又は縦材に嵌着される縦押縁）の長手方向両端部を嵌合したので、横押縁（又は縦押縁）が短縮して縦材（又は横材）の突き当て面との間に隙間が生じても、その隙間は屋外側に露出されないから、その隙間から雨水が窓枠組立体又は障子框組立体内に浸入することが防止される。
【００１０】
請求項２の発明によれば、押縁を縦押縁の長手方向両端部から横押縁の長手方向両端部に渡って屋外側に対して被覆するコーナー部品を設けて縦押縁、横押縁及びコーナー部品を見掛け上連続させたので、縦押縁と横押縁の長手方向端部がいずれもコーナー部品により被覆され、縦押縁と横押縁の伸縮量はそのコーナー部品により隠蔽されるから、縦押縁と横押縁の伸縮による隙間は縦材と横材のコーナー接続部において室外側に露見されず、また、雨水も浸入することができない。
【００１１】
請求項３の発明によれば、コーナー部品は窓正面側から見た形状がＬ形のブロック状に形成され、両先端部が横材の長手方向及び縦材の長手方向とそれぞれ平行な方向に開口して、縦押縁と横押縁の長手方向端部を挿入可能な開口部を有して、縦材と横材のコーナー接続部の内側に嵌着され、各コーナー部品の開口部にそれぞれ縦押縁と横押縁の長手方向両端部を挿入して縦押縁、横押縁及びコーナー部品を見掛け上連続させたので、縦押縁と横押縁の長手方向両端部はコーナー部品の中に挿入されて、縦押縁と横押縁の伸縮量はそのコーナー部品の中で吸収されるため、縦押縁と横押縁の伸縮による隙間は縦材と横材のコーナー接続部において室外側に露見されず、雨水の浸入も阻止される。
【発明を実施するための最良の形態】
【００１２】
本発明は、障子框組立体の内周面の屋内側部分に障子中心側に突設された凸壁と、その障子框組立体の内周面の屋外側部分に嵌着された押縁との間に障子パネルを挟持する障子を有するサッシのみならず、窓枠組立体の内周面の屋内側部分に窓中心側に突設された凸壁と、その窓枠組立体の内周面の屋外側部分に嵌着された押縁との間に窓パネルを挟持する嵌め殺し窓を有するサッシにも適用可能である。
以下には、本発明を樹脂製サッシの障子に適用した場合の実施の形態について、図面に基づいて説明する。
【００１３】
図１は障子の室外側から見た正面図、図２は図１の円Ａ部分の拡大図、図３は図２のＢ−Ｂ線断面図、図４は図３のパネルを除去した断面図、図５は図２のＣ−Ｃ線断面図、図６は図５のパネルを除去した断面図である。図７は他の実施のの形態を示す図２に対応する部分拡大図、図８は図７のＤ−Ｄ線断面図である。
【００１４】
図示の障子１は、矩形の框組立体１０と、その框組立体の内周の屋外側部分に矩形に連続するように嵌着された左右の縦押縁２０及び上下の横押縁３０と、框組立体１０の内周の屋内側部分と縦押縁２０及び横押縁３０の間に挟持されたガラス板などのパネル４０とから構成されている。框組立体１０、縦押縁２０及び横押縁３０は、いずれも樹脂製である。
【００１５】
框組立体１０は、材軸に直交する断面形状が全て同一の框材の長手方向両端部を正面形状が台形となるように材軸に対して４５度に切断して形成された、特許請求の範囲の縦材に相当する左右の縦框１１と特許請求の範囲の横材に相当する上下の横框１２とをそれぞれの長手方向端部の４５度切断面同士を突き合わせて溶着する周知の技術により、矩形に連続する枠状に構成されている。
【００１６】
上述のように、縦框１１と横框１２は同一断面形状を有するので、図３及び図４に示された縦框１１について説明し、横框１２については図５及び図６に同じ符号を付して詳細な説明を省略する。
【００１７】
縦框１１は、所要の強度を備えるため、一例として屋内側と屋外側に中空部１１１，１１２を有し、その屋内側中空部１１１の屋内側部分から障子中心方向に突出する凸壁１１３が設けられ、その凸壁１１３には、屋外方向に開口するあり溝１１４が形成してあり、そのあり溝にビードｂが嵌着されている。
【００１８】
また、縦框１１は、屋外側中空部１１２の屋外側部分から障子中心と反対方向に突出する凸壁１１５が設けられ、その凸壁１１５には、屋外方向に開口するあり溝１１６が形成してある。そして、縦框１１の屋内側中空部１１１の障子中心側のウェブ１１７よりも屋外側中空部１１２の障子中心側のウェブ１１８は障子中心から遠い位置に形成してあって、屋内側凸壁１１３と屋内側中空部１１１のウェブ１１７とによって障子中心方向と屋外方向に開放されたＬ字形のパネル嵌合部１１９が形成されている。
【００１９】
さらに、縦框１１の屋外側中空部１１２の障子中心側部分に、ウェブ１１８を底壁とする障子中心方向に開口するあり溝１１１０が形成されている。このあり溝１１１０は、前記縦押縁２０を嵌着するために用いられる。横框１２におけるあり溝１１１０は、前記横押縁３０を嵌着するために用いられる。
【００２０】
縦押縁２０は、図４に良く示されるいるように、断面形状がほぼ矩形の中空状の挟持部２１と、その挟持部の一端部に平行に突出し、先端に逆さ爪を有する一対の板片からなる嵌着部２２とを一体に有している。そして、その嵌着部２２を縦框１１のあり溝１１１０に押し込み、板片の逆さ爪とあり溝１１１０の作用による一対の板片の弾性相互接近及び復元によって、嵌着部２２があり溝１１１０に抜脱不可能に固定される。そして、縦押縁２０には、挟持部２１の屋外側面から障子中心側に３〜５ｍｍ程度突出する突縁２３が設けてあり、その突縁２３と挟持部２１の障子中心側の壁面とによって横断面形状がＬ字形の凹部２４が形成されている。また、縦押縁２０の挟持部２１の屋内側面には、ビードｂと同様のクッション機能を有するフィン２５が突設されている。なお、挟持部２１の屋外側面には、突縁２３の突出方向と反対方向に突出して、嵌着部２２があり溝１１１０に押し込まれた時に縦框１１のあり溝１１１０の屋外側壁に当接して位置決めをするための凸部２６が形成されている。
【００２１】
横押縁３０は、縦押縁２０の各構成要素２１，２２，２５，２６と同様の挟持部３１，嵌着部３２，フィン３５，及び凸部３６を有しているが、縦押縁２０の突縁２３及びＬ字形凹部２４に対応する構成を有しておらず、また、挟持部３１の厚みは、縦押縁２０の挟持部２１の厚みよりも縦押縁２０の突縁２３の厚み分だけ薄く形成されている。そして、横押縁３０の凸部３６は、横押縁の長手方向両端部から縦押縁２０の突縁２３の見付け寸法と等しい長さに渡って切除されている。
【００２２】
障子１は、上記構成の框組立体１の内周にパネル４０の周辺を嵌合し、縦押縁２０と横押縁３０を嵌着して構成されるが、縦框１１においては、縦押縁２０の未嵌着状態において、図４及び図３に示すように、内周側あり溝１１４にビードｂが装着されたパネル嵌合部１１９にセットピースｐを介在させてパネル４０の端部が嵌合され、その後に左右の縦押縁２０が障子中心側からあり溝１１１０に押し込んで嵌着される。これにより、パネル４０の縦辺が縦框１１の屋内側凸壁１１３と縦押縁２０とによって挟持される。
【００２３】
続いて、凸部３６の長手方向両端部が切除された横押縁３０を、水平状態においてその長手方向中央部分が屋外側に凸面となるように多少湾曲させた状態で、その横押縁の長手方向両端部を縦押縁２０のＬ形凹部２４に対向させ、その横押縁に湾曲させるために加えていた力を除いて、その横押縁の長手方向両端部を左右の縦框１１のＬ形凹部２４に嵌合させる。これにより、図３に示されているように、横押縁の長手方向両端部と挟持部２１の障子中心側の壁面との間に隙間が生じても、その隙間は突縁２３により隠蔽される。従って、縦押縁２０と横押縁３０との結合部において隙間が屋外側に露見されないので、障子の外観が損なわれることがないとともに、隙間から雨水が浸入することも阻止される。図５，６は下框を示しているが、上框においては対称形に現れる。
【００２４】
図１ないし図６までに示された実施の形態においては、縦押縁２０の突縁２３がその縦押縁の屋外側面の延長上に形成されたので、横押縁３０の端部をその突縁２３の屋内側の凹部２４に嵌合するため、横押縁の挟持部の厚みを縦押縁の嵌着部の厚みよりも薄く形成した。これに対して、図７及び図８に示す実施の形態においては、縦押縁２０の突縁２３’を嵌着部２１の屋外側面からわずかに屋外側において突設することにより、横押縁３０の嵌着部の厚みを縦押縁２０の嵌着部の厚みと等しされている。これにより、縦押縁２０と横押縁３０の差異は、突縁２３の有無のみとなり、製造コストの低減を図ることができる。
【００２５】
図９ないし図１４は、框組立体１０のコーナー内側にコーナー部品５０を備えて、框組立体１０の内周に嵌着される縦押縁２０と横押縁３０との結合部に生じる隙間を屋外側に露見すること及びその隙間から雨水が浸入することを防止する実施の形態を示す。
図９は障子の屋外側から見た正面図、図１０はコーナー部品の斜視図、図１１は図９の円Ｅ部分の拡大図、図１２はコーナー部品と縦、横押縁との結合部の拡大図、図１３は縦框とコーナー部品と縦押縁との結合構造を示す断面図、図１４は横框とコーナー部品と横押縁との結合構造を示す断面図である。
【００２６】
框組立体１０の形状構造は、先の実施の形態に係るものと同一である。また、框組立体１０の内周に嵌着される縦押縁３０ａと横押縁３０ｂは、いずれも図５及び図６に示された横押縁３０、すなわち、挟持部３１の厚みが薄いものと同一である。
【００２７】
コーナー部品５０は、樹脂製であり、図９，１０に示すように、屋外側から見た正面形状がＬ形のブロック状の嵌合部５１と、その嵌合部の縦框側の辺と横框側の辺に突設され、各框のあり溝１１１０に押し込んで嵌着される嵌着部５２、５３とを一体に有している。嵌合部５１は、その両先端部が縦框の長手方向及び横框の長手方向とそれぞれ平行な方向に開口して、縦押縁３０ａ及び横押縁３０ｂの長手方向端部を挿入可能な開口部５４，５５を有している。開口部５４，５５の見込み寸法は縦押縁３０ａ（横押縁３０ｂ）の屋内側面から屋外側面までの見込み寸法とほぼ等しくされている。
【００２８】
上記構成により、屋外側あり溝１１４にビードｂ（図示省略）が装着された框組立体１０の内周のパネル嵌合部１１９にパネル４０の周辺が嵌合された後、屋外側の内周のあり溝１１１０にコーナー部品５０の嵌着部５２，５３をそれぞれ押し込んで、そのコーナー部品５０を框組立体１０のコーナー内側に固定する。
【００２９】
その後、図１３に示すように、縦押縁３０ａの嵌着部３２の長手方向両端部をコーナー部品５０の縦框１１に対して直交する方向に開口している開口部５４に挿入するとともに、その嵌着部３２をその全長に渡って縦框のあり溝１１１０に押し込んで嵌着する。この場合、縦押縁３０ａの凸壁３６は、その長手方向端部から開口部５４に対する嵌合深さ分だけ切除されているので、縦押縁３０ａがコーナー部品の嵌合部５１にぴったり嵌合して、コーナー部品の嵌合部の屋外側壁の内面に縦押縁の屋内側面が密着してその間に隙間が生じないようにしてある。
【００３０】
続いて、図１４に示すように、横押縁３０ｂの嵌着部３２の長手方向両端部をコーナー部品５０の横框１２に対して直交する方向に開口している開口部５５に挿入するとともに、その嵌着部３２をその全長に渡って横框１２のあり溝１１１０に押し込んで嵌着する。この場合も、横押縁３０ｂの凸壁３６は、その長手方向端部から開口部５５に対する嵌合深さ分だけ切除されているので、横押縁３０ｂがコーナー部品の嵌合部５１にぴったり嵌合して、コーナー部品の嵌合部の屋外側壁の内面に横押縁の屋内側面が密着してその間に隙間が生じないようにしてある。縦押縁３０ａの嵌着部３２と横押縁３０ｂの嵌着部３２は、それぞれ挟持部３１をコーナー部品５０の開口部５４，５５に挿入されたときに嵌着部５２，５３と一体的に連続するように各押縁の長手方向端部から挿入深さ分だけ切除されている。各押縁の嵌着部３２を切除することに代えて、コーナー部品５０の嵌着部５２，５３を切除しても良い。
【００３１】
以上の構成により、縦押縁３０ａと横押縁３０ｂの、障子１のコーナー部内側における結合部はコーナー部品５０により被覆されるので、縦押縁３０ａと横押縁３０ｂの長手方向端部同士の間に生じる隙間は屋外側に露見されず、従って、障子の外観が損なわれず、かつ、その結合部からの雨水が浸入することもない。
【００３２】
上記の実施の形態においては、縦押縁に突縁を形成して横押縁の長手方向端部を嵌合する凹部を設けたが、突縁及び凹部を横押縁に設けて、縦押縁の長手方向端部を嵌合するように構成することもでき、いずれも同一の作用効果を奏することができる。
【図面の簡単な説明】
【００３３】
【図１】障子の室外側から見た正面図。
【図２】図１の円Ａ部分の拡大図。
【図３】図２のＢ−Ｂ線断面図。
【図４】図３のパネルを除去した断面図。
【図５】図２のＣ−Ｃ線断面図。
【図６】図５のパネルを除去した断面図。
【図７】他の実施のの形態を示す図２に対応する部分拡大図。
【図８】図７のＤ−Ｄ線断面図。
【図９】障子の屋外側から見た正面図。
【図１０】コーナー部品の斜視図。
【図１１】図１０の円Ｅ部分の拡大図。
【図１２】コーナー部品と縦、横押縁との結合部の拡大図。
【図１３】縦框とコーナー部品と縦押縁との結合構造を示す断面図。
【図１４】横框とコーナー部品と横押縁との結合構造を示す断面図。
【図１５】従来のサッシにおける障子と同様の障子の正面図。
【図１６】図１５の円Ｘ部分の拡大図。
【図１７】図１６のパネル４０を除去したＹ−Ｙ線断面図。
【図１８】図１６のパネル４０を除去したＺ−Ｚ線断面図。
【符号の説明】
【００３４】
１        障子
１０      框組立体
１１      縦框
１２      横框
１１３    屋内側凸壁
１１１０  あり溝
２０      縦押縁
２３，２３’突縁
２４      凹部
３０      横押縁
３０ａ    縦押縁
３０ｂ    横押縁
４０      パネル
５０      コーナー部品
５１      嵌合部
５２、５３  嵌着部
５４，５５  開口部
【図１】
2008082066.tif 000003
【図２】
2008082066.tif 000004
【図３】
2008082066.tif 000005
【図４】
2008082066.tif 000006
【図５】
2008082066.tif 000007
【図６】
2008082066.tif 000008
【図７】
2008082066.tif 000009
【図８】
2008082066.tif 000010
【図９】
2008082066.tif 000011
【図１０】
2008082066.tif 000012
【図１１】
2008082066.tif 000013
【図１２】
2008082066.tif 000014
【図１３】
2008082066.tif 000015
【図１４】
2008082066.tif 000016
【図１５】
2008082066.tif 000017
【図１６】
2008082066.tif 000018
【図１７】
2008082066.tif 000019
【図１８】
2008082066.tif 000020